(57)【要約】【課題】  長期の塩付け醸成で芳香を発するウェット状態の桜の葉の品質の長期間の安定保存とシートマスクの保湿用の補足媒体としての機能の提供。【解決手段】  図３は前記課題を解決した本発明の芳香を発する桜の葉を乾燥状態で内包したマスク用バッグ９の説明用平面図であるが、本発明のマスク用バッグ９はウェット状態で芳香を発する桜の葉を粗揉みしながら熱風で乾燥し、その砕断乾燥された桜の葉１２を外郭線１１で示すシングルバッグ１０に封入し、次にその桜の葉を封入したシングルバッグ１０の外側をガーゼ１３で包み込んで形成され、着用時に外側のガーゼ１３に水分を含ませて、シートマスクの保湿用補足媒体の機能を働かせる。【選択図】  図３
2004313750.tif 000002
【特許請求の範囲】
【請求項１】
シートマスクの裏側に挟み込んで、直接に鼻、口に当てがう袋状の当てシートが、長期間の塩漬け醸成により芳香を発するウェット状態の桜の葉を挿入かつ固着して形成されることを特徴とする塩漬け醸成により芳香を発する桜の葉を利用したシートマスク。
【請求項２】
前記の当てシートにウェット状態で挿入固着された桜の葉には、多数の通気用小孔があけられてあることを特徴とする塩漬け醸成により芳香を発する桜の葉を利用したシートマスク。
【請求項３】
複数枚の請求項１又は２に記載の当てシートを、保湿可能なアルミ製小袋に気密に収納し、使用時に一枚づつ取出して、シートマスクに挟み込んで着用可能としてなる、使い捨て方式を特徴とする塩漬け醸成により芳香を発する桜の葉を利用したシートマスク。
【請求項４】
請求項１乃至３に記載の桜の葉に代えて、ウェット状態で芳香を発する天然の草木の葉を挿入固着して、シートマスク用当てシートが形成されたことを特徴とする芳香を発する天然の草木の葉を利用したシートマスク。
【請求項５】
前記のウェット状態で芳香を発する桜の葉を、砕断乾燥状態にして漉紙製シングルバッグに内封したことを特徴とする塩漬け醸成により芳香を発する桜の葉を利用したシートマスク。
【請求項６】
前記請求項５に記載の砕断乾燥状態の桜の葉を内封した漉紙製シングルバッグの外側をガーゼで長方形に包み込んで、マスク用バッグを形成してからシートマスクに着用することを特徴とする塩漬け醸成により芳香を発する桜の葉を利用したシートマスク。
【請求項７】
前記請求項５に記載の砕断乾燥状態の桜の葉を内封した漉紙製シングルバッグが、空気不透過のアルミ製パッケージに真空パックされて保存され、使用時にパッケージから取出されてガーゼに包み込まれ、シートマスクに着用されることを特徴とする塩漬け醸成により芳香を発する桜の葉を利用したシートマスク。
【請求項８】
前記請求項６に記載の漉紙製シングルバッグを内包したマスク用バッグが、空気不透過のアルミ製パッケージに真空パックされて保存され、使用時にパッケージから取出されて、シートマスクに着用されることを特徴とする塩漬け醸成により芳香を発する桜の葉を利用したシートマスク。
【請求項９】
前記請求項６に記載のマスク用バッグを着用する時には、指で内包された桜の葉をバッグの全面に押し拡げ、包んだガーゼに水分を含ませて、桜の葉を乾燥状態からウェット状態に復元させることを特徴とする塩漬け醸成により芳香を発する桜の葉を利用したシートマスク。
【請求項１０】
前記請求項５乃至９に記載のマスク用バッグに内包した桜の葉に代えて、芳香を発する天然の草木の葉を砕断乾燥して内包したことを特徴とする芳香を発する天然の草木の葉を利用したシートマスク。
【請求項１１】
前記請求項１０に記載の天然の草木の葉に代えて、芳香を発する天然の草木の花、実、茎、皮及び果実の皮を砕断乾燥して内包したことを特徴とする芳香を発する天然の草木の花、実、茎、皮及び果実の皮を利用したシートマスク。
【発明の詳細な説明】
【発明の詳細な説明】
【技術分野】
【０００１】  本発明は、長期間の塩漬け醸成により芳香を発する桜の葉をウェット状態のまま直接にシートマスク用当てシートに挿入固着して利用するか、又はその芳香を発する桜の葉を砕断乾燥状態にしてマスク用バッグに内包して利用したシートマスクへの利用技術分野に属する。
【背景技術】
【０００２】  ガーゼや不織布等から作られたシートマスクは鼻、口を覆って、空気中の塵埃や病菌の侵入を防ぐための簡易な手段として広く使われている。また前記のフィルター効果の他に、特にガーゼマスクでは、水で濡らして濡れマスクとして着用すれば、鼻腔、口腔、咽頭、喉頭などの上気道に水分が送り込まれ、それら上気道の粘膜を湿潤に保って乾燥から守り、上気道の消炎や風邪の予防に対して効果のあることが、医者や体験者によって衆知化されている。【０００３】  また桜の葉は長期間の塩漬け醸成で、桜の葉に含まれるクマリン成分が発酵され、独特の甘い芳香と味覚を発生するが、ウェット状態で芳香を発する桜の葉は桜餅に巻かれて広く利用されていて、特に大島桜の葉が好適とされている。
【発明が解決しようとする課題】
【０００４】  しかし前述の濡れマスクが上気道の消炎や風邪の予防に有効であることは理解できても、マスクを水で濡らして着用することは結構面倒なことであると共に、全く味気もなく、上気道の消炎のような緊急の場合は別として、風邪の予防のような将来の期待効果では濡れマスクを継続して着用しようという意欲がわかない欠点がある。
【０００５】  本発明はこれら従来の濡れマスクの効果を生かしながらその欠点の解決を目的とするものであるが、特に従来の濡れマスクの機能を健康に被害を与えることなく、好適な天然物を利用した補足媒体に代替させ、継続してマスクを着用したくなるような、天然物利用の好適なシートマスク用補足媒体の提供を目的とする。
【課題を解決するための手段】
【０００６】  本発明者は前記課題の解決に当たり、長期間塩漬け醸成されたウェット状態の桜の葉を直接にシートマスクに挟み込んで着用すると、従来の濡れマスクを代行する保湿用の補足媒体として好適であり、さらにそのウェット状態の桜の葉から発する芳香は、着用者の神経系の働きを和らげ、緊張感やいらいらから解放し、また爽快感を感知させる癒し効果をも発揮し、またその発酵成分に含まれる抗菌性や消臭性により口臭の消去や健康的にも優れた特性を有していることに着目し、前記課題解決手段として、前記のウェット状態で芳香を発する桜の葉を利用してシートマスク用当てシートに挿入固着し、好適なシートマスク用の保湿用補足媒体として提供するものである。
【０００７】  また本発明は、桜の葉等の天然の葉の不通気性に対して多数の通気用小孔を穿孔して通気性を確保し、シートマスク用当てシートへの利用を可能としている。
【０００８】  また本発明は、シートマスク用の保湿媒体としてウェット状態を保持するために、複数枚の前記のウェット状態で芳香を発する桜の葉を挿入固着した当てシートを、保湿可能なアルミ製小袋に気密に収納し、使用時に一枚づつ小袋から取り出して、シートマスクに挟み込んで着用可能とした、使い捨て方式の当てシートの形態て提供しようとするものである。
【０００９】  また一方、ウェット状態の桜の葉は生のものであるため、長期間保持の場合に高温や直射日光に長時間曝されると、酵素の酸化作用やカビの発生などによる変質や腐敗を起す恐れがあり、長期間未使用で保持する場合においては、常時変質や腐敗を起こさずに機能させるための品質の長期安定保持の付加課題の解決をも併せて必要となった。
【００１０】  本発明者は前記の塩漬け醸成された桜の葉のようなウェット状態の製品は、加熱乾燥させることにより酸化酵素の働きを不活性化し、カビの発生を防止できることに着目して、本発明は前記付加課題の解決手段として、塩漬け醸成により芳香を発するウェット状態の桜の葉を粗揉みしながら熱風で乾燥し、その砕断乾燥状態で芳香を発する桜の葉を漉紙製又はナイロンメッシュ製のシングルバッグに封入し、かつさらに加えて、その乾燥状態で芳香を発する桜の葉を内封したシングルパックを空気不透過のアルミ製又はプラスチックフイルム製のパッケージに真空パックにした状態にして保存し、使用時にパッケージから取出すようにして、変質や腐敗を防止可能にした状態で提供しようとするものである。
【００１１】  本発明のシングルバッグに封入された砕断乾燥状態で芳香を発する桜の葉は、長期間未使用のまま保持されても酸化やカビ等による変質や腐敗が防止され、ウェット状態の桜の葉に較べて品質の長期間の安定保持が可能なのである。
【００１２】  また本発明は、前記の砕断乾燥状態の桜の葉を内封したシングルパックの外側をガーゼで長方形に包み込んで、シートマスクの補足媒体として着用可能なマスク用バッグの形態に形成して提供しようとするものである。
【００１３】  かくして使用時はそのマスク用バッグに内包された桜の葉を外側から指で均等に押し拡げて、バッグを包んだガーゼの全面に水分を含ませ、内封された桜の葉を乾燥状態からウェット状態に復元させてからシートマスクに着用すれば、前記のウェット状態で挿着する保湿用補足媒体と同じ濡れマスク効果が発揮可能どなるのである。
【００１４】  また本発明は、前記のシングルパックの外側をガーゼで長方形に包み込んで、即時着用可能の形態としたマスク用バッグに対しても、同様に空気不透過のパッケージに真空パックにして保存し、品質の長期間の安定保持可能にして提供するものである。
【００１５】  また本発明は、前記のマスク用バッグのパッケージ保存に代えて、桜の葉を乾燥状態で封入したシングルバッグをパッケージに真空パックにして保存する、簡略化した保存方法を提供しようとするものであるが、着用のためパッケージから取出した時に、その外側をガーゼで長方形に包み込んで前記マスク用バッグの形態に形成してから、シートマスクに着用することとなる。
【００１６】  また前記のシングルバッグには砕断された桜の葉が内包されているため、マスク着用時に息苦しくなく、また長期間塩漬け醸成された桜の葉の抗菌性や消臭性によって利用して口臭を消去する特性があり、また使い捨て方式にして簡便で、衛生的で、何処でも着用可能に形成されているのである。
【００１７】  また本発明は、芳香を発する桜の葉以外の好適な天然物利用として、健康に被害を与えることなく芳香を発する天然の草木の葉に着目し、桜の葉を内包したマスク用バッグと同様に、芳香を発する草木の葉を砕断乾燥した後に、シングルバッグに封入し、次にマスク用バッグに内包して、新規のシートマスク用の補足媒体として提供するものである。
【００１８】  またさらにその他の好適な天然物利用として、本発明は健康に被害を与えることなく芳香を発する天然の草木の花、実、茎、皮及び果実の皮に着目し、前記の草木の葉を砕断乾燥して内包したマスク用バッグと同様に、それらの芳香を発する草木の花、実、茎、皮及び果実の皮を砕断乾燥して内包したマスク用バッグを、新規のシートマスク用の補足媒体として提供するものである。
【発明を実施するための最良の形態】
【００１９】  本発明には、長期間の塩漬け醸成により芳香を発するウェット状態の桜の葉を、そのままシートマスクの当てシートに利用する実施の形態と、砕断乾燥状態にしてシートマスクのマスク用バッグに利用する実施の形態とがある。【００２０】  以下に、先ず本発明のシートマスクの当てシートからなる、ウェット状態の桜の葉を利用した新規の補足媒体の実施の形態について、添付図面を参照して説明を行う。図１は本発明のウェット状態で芳香の桜の葉を一体挿着した当てシート１の説明用平面図であって、シートマスクの裏側に挟み込まれ、直接に鼻、口に当てがって顔面に着用される。【００２１】  ２はガーゼや不織布等から作られた袋状の当てシートであって、２枚重ね合って、縁をミシンで一体に縫着されている。６はとじ用のミシンの縫い目を示すが、長方形の袋状に当てシート１を形成している。なお本図はミシンによる縫着を例示したが、接着剤による接着等の慣用の一体接合手段は本発明の実施態様に含まれるものである。【００２２】  袋状の当てシート２の内部には、長期間塩漬け醸成されたウェット状態で芳香の桜の葉３が挿入されていて（外郭線４で図示）、動かないように当てシート２と一体に外から碁盤じま状にミシンで縫着されて、本発明の当てシート１が形成される。なおこの一体固着手段も接合接着の慣用手段を含むものである。【００２３】  長期間の塩漬け醸成により保湿された芳香の桜の葉は、芳香性、保湿性、安全性、嗜好性、抗菌性、天然性、量産性（塩漬けの工業化）等の優れた特性を有していて、本発明はこれらの健康に有効な特性を活用するものである。【００２４】  従って本発明の当てシート１は、その優れた保湿性だけで従来の濡れマスク同様の効果を発揮し、さらにその芳香性が爽快感を感知させて精神面の癒し効果を享受でき、またその抗菌性で口内の清浄、口臭の消去が期待できるのである。【００２５】  また桜の葉３には多数の通気用小孔８があけられていて通気性を確保している。本発明は桜の葉の不通気性を通気用小孔８をあけることで解決したのである。【００２６】  また本発明の桜の葉に代えて芳香を発する天然の草木の葉を用い、当てシートに挿着することは、快適な天然物の利用と考えられる。【００２７】  また図２は本発明の当てシート収納用アルミ製小袋７の説明用断面図であって６枚のウェット状態の当てシート１が保湿可能なアルミ製小袋７に気密に収納され、使い捨て可能となっている。【００２８】  次に本発明のマスク用バッグからなる、砕断乾燥状態の桜の葉を利用した新規の補足媒体の実施の形態について、添付図面を参照して以下に説明する。図３は本発明のマスク用バッグの構造説明用平面図である。図中、９は本発明の長方形状のマスク用バッグであって、シートマスクに挟み込んで着用されるが、後述する砕断乾燥状態の桜の葉を封入したシングルバッグ１０の外側をガーゼで包み込んだ形状に作られる。【００２９】  桜の葉を封入した漉紙製又はナイロンメッシュ製のシングルバッグ１０は、１１の外郭線で示される。１２が砕断乾燥状態で封入された桜の葉である。【００３０】  図４は本発明のマスク用バッグの製造工程のブロック図である。図中、１４は本発明のマスク用バッグ９に内包されて利用される乾燥状態の桜の葉の、乾燥前のウェット状態で芳香を発する桜の葉を生成する塩漬け醸成工程であって、長期間の塩漬け醸成により桜の葉に含まれるクマリン成分が発酵され、ウェット状態で独特の甘い芳香を発する桜の葉が生成される。【００３１】  １５はウェット状態で芳香を発する桜の葉を砕断乾燥状態にするため、粗揉みしながら熱風で乾燥する粗揉み乾燥工程であって、ウェット状態の桜の葉を乾燥状態にして酸化やカビの発生を防止し、長期間品質を安定保存させるための加工工程である。なお本工程の乾燥方法として熱風乾燥を例示しているが、慣用的な自然乾燥、マイクロ波乾燥、フリーズドライ等の乾燥方法と砕断の組み合わせも本考案に含まれるものである。【００３２】  １６は砕断乾燥された桜の葉を漉紙製又はナイロンメッシュ製のシングルバッグに入れてシールするシングルバッグ封入工程であって、紅茶等の茶葉を封入したティーバッグと同じ構造の乾燥状態の桜の葉を封入したシングルバッグが製造される。なおシールは慣用された接着、貼着等により行なわれる。またシングルバングの大きさはシートマスクの標準的大きさの５０〜７０％が望ましい。【００３３】  １７は乾燥状態の桜の葉を封入したシングルバッグの外側をガーゼで長方形に包み込んで、シートマスクに着用可能なマスク用バッグ９を製造する工程である。ガーゼに代えて不織布でもよいが、マスクに着用のとき、バッグの全面に水を含ませて、内包した乾燥状態の桜の葉をウェット状態に復元させる必要があるので、ガーゼが望ましい。【００３４】  また製造されたマスク用バッグ９は、内包された桜の葉の芳香の消失防止と酸化防止のため、空気不透過のアルミ製又はプラスチックフイルム製のパッケージに真空パックして保存されるが、１８はその真空パック保存工程である。なお本工程において、１個のパッケージに１個又は複数個のマスク用バッグが同封されるが、さらに脱酸素剤を同封すれば酸化防止に有効である。【００３５】  また前記のマスク用バッグをパッケージに真空パック保存する方法に代えて、前記の乾燥状態の桜の葉を封入したシングルバッグをパッケージに真空パックして、長期間品質を安定保存する方法もある。この方法では、マスクに着用のためパッケージから取出した時に、その外側をガーゼで長方形に包み込んで前記マスク用バッグの態様を形成し、マスクに着用することとなるが、図４の製造工程図においてガーゼ包装工程１７と真空パック工程１８を入れ替えたことに相当する。【００３６】  また前記の芳香を発する桜の葉を乾燥状態で内包したマスク用バッグに代えて、健康に被害を与えることなく芳香を発する、例えばミントの葉のような天然の草木の葉を利用して、その葉を砕断乾燥した後に、シングルバッグに封入し、次にマスク用バッグに内包して、前記桜の葉のマスク用バッグと同様の、天然の芳香を発する草木の葉のマスク用バッグを製造することもできる。【００３７】  また前記の草木の葉に代えて、健康に被害を与えることなく芳香を発する、例えばローズの花のような天然の草木の花、同じく草木の実、茎、皮及び果実の皮を利用して、それらを砕断乾燥し、封入し、内包して、前記草木の葉のマスク用バッグと同様の、天然の芳香を発す���草木の花、実、茎、皮及び果実の皮のマスク用バッグを製造することもできる。
【発明の効果】
【００３８】  本発明は以上のごとく、塩漬け醸成により芳香を発する桜の葉を、ウェット状態そのまま又は砕断乾燥した状態で利用して構成されているの
【００３９】で、以下の種々の効果を発揮できる。
（１）従来の濡れマスクと同じく上気道の消炎や風邪の予防に効果がある。
（２）マスクに挿着した桜の葉の芳香が爽快感を感知させて、従来のマスクにない癒し効果を享受でき、長期間マスクを使用したくなる効果がある。
（３）本発明の桜の葉は長期の塩漬け醸成による抗菌成分を含んでいるので、口内の洗浄、口臭の消去の効果を期待できる。
（４）使い捨て方式であるので簡便で、衛生的で、どこでも使える効果がある。
（５）当てシートに挿着された桜の葉には通気孔をあけているので、通気性が確保されて息苦しくない。
（６）ウェット状態の桜の葉を熱風で乾燥し、乾燥状態にしてバッグに内包しているので、長期間未着用のまま保存しても、ウェット状態に比べて、桜の葉の酸化作用やカビの発生等による変質や腐敗の発生の恐れがない。
（７）乾燥状態の桜の葉は、着用時に水分を含ませるとウェット状態に復元するので、従来の濡れマスクと同様に上気道の消炎や風邪の予防に効果がある。
（８）乾燥状態の桜の葉を内包したマスク用バッグは、長期間未着用であっても、空気不透過のアルミ製パッケージに真空パックされているので、酸化が防止されると共にその芳香が消失される恐れがない。
（９）マスク用バッグはガーゼに包み込まれているので、水分を加減して含ませることができ、上気道の消炎のときは水分を多くし、爽快感を感知したいときは水分を少なくする等の使い分けが可能である。
（１０）本発明の乾燥状態の桜の葉を内封したシングルバッグは、その桜の葉が長期熟成により健康成分を含有しているから、将来、本発明の形態で健康茶として利用されるときも、本発明の実施範囲に含まれるものである。
【図面の簡単な説明】
【００４０】
【図１】本発明の桜の葉を一体挿着した当てシートの説明用平面図。
【図２】当てシート収納用アルミ製小袋の説明用断面図。
【図３】本発明の芳香を発する桜の葉を乾燥状態で内包したマスク用バッグの構造説明用平面図。
【図４】本発明のマスク用バッグの製造工程のブロック図。
【符号の説明】
【００４１】１    ウェット状態の桜の葉を一体挿着した本発明の当てシート
２    袋状の当てシート
３    桜の葉
４    内部に挿着された桜の葉の外郭線（点線で示す）
５    一体固着用の碁盤じまのミシン縫い目（点線で示す）
６    当てシートの外縁とじ用のミシン縫い目（点線で示す）
７    アルミ製小袋
８    桜の葉にあけられた通気用小孔（点線で示す）
９    乾燥状態の桜の葉を内包したマスク用バッグ
１０  乾燥状態の桜を封入したシングルバッグ
１１  シングルバッグの外郭線
１２  砕断乾燥状態で内包された桜の葉
１３  シングルバッグを包み込んだガーゼ
１４  桜の葉の塩漬け醸成工程
１５  粗揉み乾燥工程
１６  シングルバッグ封入工程
１７  ガーゼ包装工程
１８  真空パック工程
【図１】
2004313750.tif 000003
【図２】
2004313750.tif 000004
【図３】
2004313750.tif 000005
【図４】
2004313750.tif 000006
【手続補正書】
【提出日】平成16年1月15日(2004.1.15)
【手続補正１】
【補正対象書類名】明細書
【補正対象項目名】００３８
【補正方法】変更
【補正の内容】
【００３８】
【発明の効果】  本発明は以上のごとく、塩漬け醸成により芳香を発する桜の葉を、ウェット状態そのまま又は砕断乾燥した状態で利用して構成されているので、以下の種々の効果を発揮できる。
（１）従来の濡れマスクと同じく上気道の消炎や風邪の予防に効果がある。
（２）マスクに挿着した桜の葉の芳香が爽快感を感知させて、従来のマスクにない癒し効果を享受でき、長期間マスクを使用したくなる効果がある。
（３）本発明の桜の葉は長期の塩漬け醸成による抗菌成分を含んでいるので、口内の清浄、口臭の消去の効果を期待できる。
（４）使い捨て方式であるので簡便で、衛生的で、どこでも使える効果がある。
（５）当てシートに挿着された桜の葉には通気孔をあけているので、通気性が確保されて息苦しくない。
【手続補正２】
【補正対象書類名】明細書
【補正対象項目名】００３９
【補正方法】変更
【補正の内容】
【００３９】
（６）ウェット状態の桜の葉を熱風で乾燥し、乾燥状態にしてバッグに内包しているので、長期間未着用のまま保存しても、ウェット状態と異なり、桜の葉の酸化作用やカビの発生等による変質や腐敗の発生の恐れがない。
（７）乾燥状態の桜の葉は、使用時に水分を含ませるとウェット状態に復元するので、従来の濡れマスクと同様に上気道の消炎や風邪の予防に効果がある。
（８）乾燥状態の桜の葉を内包したマスク用バッグは、長期間未着用であっても、空気不透過のアルミ製パッケージに真空パックされているので，酸化が防止されると共にその芳香が消失される恐れがない。
（９）マスク用バッグはガーゼに包み込まれているので、水分を加減して含ませることができ、上気道の消炎のときは水分を多くし、爽快感を感知したいときは水分を少なくする等の使い分けが可能である。
（１０）本発明の砕断乾燥状態の桜の葉を内封したシングルバッグは、その桜の葉が長期醸成により健康有効成分を含有しているから、将来、本発明の形態のまま健康茶としての用途に利用されるときは、本発明の実施態様に含まれるものである。